(57)【要約】【課題】  完全に平坦となるようにコンパクトに折畳めるようにする。【解決手段】  折畳式踏台は、左右一対の前支柱(11)と、左右一対の後支柱(12)と、両前支柱(11)に渡し止められている踏ざん(13)(14)と、前支柱(11)および後支柱(12)が最大角度に開かれた開き姿勢と、最小角度に閉じられた閉じ姿勢との間で開閉しうるように前支柱(11)および後支柱(12)を連結している連結手段とを備えている。前支柱(11)の前後方向の幅より踏ざん(13)(14)の前後方向の幅が大きくなされている。踏ざん(13)(14)の後部が、前支柱(11)から後方に突出させられている。踏ざん(13)(14)の同後部の左右方向の長さが、両後支柱(12)の間隔以下である。【選択図】  図５
2006132217.tif 000002
【特許請求の範囲】
【請求項１】
左右一対の前支柱(11)と、左右一対の後支柱(12)と、両前支柱(11)に渡し止められている踏ざん(13)(14)と、前支柱(11)および後支柱(12)が最大角度に開かれた開き姿勢と、最小角度に閉じられた閉じ姿勢との間で開閉しうるように前支柱(11)および後支柱(12)を連結している連結手段とを備えており、前支柱(11)の前後方向の幅より踏ざん(13)(14)の前後方向の幅が大きくなされており、踏ざん(13)(14)の後部が、前支柱(11)から後方に突出させられている折畳式踏台において、踏ざん(13)(14)の同後部の左右方向の長さが、両後支柱(12)の間隔以下であることを特徴とする折畳式踏台。
【請求項２】
閉じ姿勢時に前支柱(11)および後支柱(12)のなす最小角度が零である請求項１に記載の折畳式踏台。
【請求項３】
閉じ姿勢時に、踏ざん(13)(14)の同後部が両後支柱(12)の間に完全に格納しうるようになされている請求項１または２に記載の折畳式踏台。
【請求項４】
各前支柱(11)が、踏ざん(13)(14)の対応する端部にそれぞれ当接させられた内側壁(33)を有しており、上下２つのねじ部材(81)(82)が、内側壁(33)の当接部の上下に間隔をおいた２か所を貫通して踏ざん(13)(14)の端部にねじ込まれている請求項１〜３のいずれか１つに記載の折畳式踏台。
【請求項５】
各前支柱(11)が、内側壁と間隔をおいて相対させられた外側壁(34)を有しており、外側壁(34)の全長にわたって、スリット(41)がねじ部材(81)(82)を外側壁(34)の外方から臨みうるように形成されており、スリット(41)の縁部に帯状化粧板(43)が着脱自在に取付られている請求項４に記載の折畳式踏台。
【発明の詳細な説明】
【技術分野】
【０００１】
この発明は、例えば、開き姿勢では、高所で物の取外しのために用いられ、閉じ姿勢では、完全に平坦となるようにコンパクトに折畳むことのできる折畳式踏台に関する
【背景技術】
【０００２】
従来、この種の折畳式踏台としては、図６および図７に示すように、左右一対の前支柱101と、左右一対の後支柱102と、両前支柱101、102に渡し止められている踏ざん103と、前支柱101および後支柱102が最大角度に開かれた開き姿勢（図示しない）と、最小角度に閉じられた閉じ姿勢との間で開閉しうるように前支柱101および後支柱102を連結している連結手段（図示しない）とを備えており、前支柱101の前後方向の幅より踏ざん103の前後方向の幅が大きくなされており、踏ざん103の後部が、前支柱101から後方に突出させられており、踏ざん103の同後部の左右方向の長さが、両後支柱102の間隔以上であるものが知られている。
【０００３】
上記折畳式踏台では、閉じ姿勢時に、踏ざん103の同後部が両後支柱102に当接してしまい、前支柱101および後支柱102を、例えば、双方が互いに平行となるようにコンパクトに折畳むことができず、収納時の寸法が大きくなるという問題点があった。
【０００４】
上記において、前支柱101および後支柱102をコンパクトになるまで折畳めるようにしようとするために、踏ざん103の同後部の左右方向の長さが、両後支柱102の間隔以下にすれば良いが、以下の理由によってそのようにすることができなかった。
【０００５】
踏ざん103は、アルミニウム押出成型品であって、略平板状踏ざん本体111と、踏ざん本体111下面に、前支柱101を前後から挟み付けるように垂下状に設けられている前脚112および後脚113とよりなる。踏ざん本体111の端部前後方向中央には、前支柱101を入り込ませた切欠114が形成されている。そして、前支柱101に対して前脚112および後脚113がリベット115により固定されている。
【０００６】
つまり、前脚112および後脚113は、前支柱101に踏ざん103を固定するための固定手段を構成しており、踏ざん103の同後部の一部を後脚113が構成しているために、踏ざん103の同後部の前後方向の長さを両後支柱102の間隔以下にすることができないのである。
【発明の開示】
【発明が解決しようとする課題】
【０００７】
この発明の目的は、完全に平坦となるようにコンパクトに折畳むことのできる折畳式踏台を提供することにある。
【課題を解決するための手段】
【０００８】
この発明による折畳式踏台は、左右一対の前支柱と、左右一対の後支柱と、両前支柱に渡し止められている踏ざんと、前支柱および後支柱が最大角度に開かれた開き姿勢と、最小角度に閉じられた閉じ姿勢との間で開閉しうるように前支柱および後支柱を連結している連結手段とを備えており、前支柱の前後方向の幅より踏ざんの前後方向の幅が大きくなされており、踏ざんの後部が、前支柱から後方に突出させられている折畳式踏台において、踏ざんの同後部の左右方向の長さが、両後支柱の間隔以下であるものである。
【０００９】
この発明による折畳式踏台では、踏ざんの同後部の左右方向の長さが、両後支柱の間隔以下であるから、閉じ姿勢時に、踏ざんの同後部を両後支柱の間に入り込ませることができる。したがって、折畳式踏台を、完全に平坦となるようにコンパクトに折畳むことができる。
【００１０】
さらに、閉じ姿勢時に前支柱および後支柱のなす最小角度が零であることが好ましい。  また、閉じ姿勢時に、踏ざんの同後部が両後支柱の間に完全に格納しうるようになされていることが好ましい。
【００１１】
また、各前支柱が、踏ざんの対応する端部にそれぞれ当接させられた内側壁を有しており、上下２つのねじ部材が、内側壁の当接部の上下に間隔をおいた２か所を貫通して踏ざんの端部にねじ込まれていると、前支柱に踏ざんを固定するための固定手段に支障を来すことなく、踏ざんの同後部の左右方向の長さが、両後支柱の間隔以下とすることを達成できる。
【００１２】
また、各前支柱が、内側壁と間隔をおいて相対させられた外側壁を有しており、外側壁の全長にわたって、スリットがねじ部材を外側壁の外方から臨みうるように形成されており、スリットの縁部に帯状化粧板が着脱自在に取付られていると、帯状化粧板を取外した状態で、ねじ部材のねじ込み作業を容易に行うことができる。
【発明の効果】
【００１３】
この発明によれば、完全に平坦となるようにコンパクトに折畳むことのできる折畳式踏台が提供される。
【発明を実施するための最良の形態】
【００１４】
この発明の実施の形態を図面を参照しながらつぎに説明する。
【００１５】
以下の説明において、前後とは、図１を基準として、図１の左側を前、その右側を後といい、左右とは前方よりみて、その左右の側を左右（図３の左右）というものとする。
【００１６】
図１は、開き姿勢の折畳式踏台を、図２は閉じ姿勢の折畳式踏台をそれぞれ示すものである。
【００１７】
折畳式踏台は、通称、片面昇降式と称されるものであって、左右一対の前支柱11と、前支柱11よりも背の低い左右一対の後支柱12と、両前支柱11に下から順次渡し止められている一段目踏ざん13および二段目踏ざん14と、二段目踏ざん14より上レベルのところで両前支柱11および後支柱12に渡されている天板15とを備えている。
【００１８】
各前支柱11の、後支柱12と同じ高さのところにブラケット16が設けられている。ブラケット16に左右方向にのびた連結ピン17によって後支柱12の上端が揺動自在に連結されている。
【００１９】
前支柱11には、天板15の前縁部を上下揺動自在に支持している前横桟21が渡止められている。後支柱12の、天板15と同レベルのところには第１後横桟22が渡し止められている。後支柱12の下端近くには第２後横桟23が渡し止められている。後支柱12の第１後横桟22のすぐ後の部分と、天板15の前後幅方向中央の部分とには連結ロッド25が渡されている。
【００２０】
天板15は、開止めを兼ねるものであって、後縁部両端に下向き係合凹所24を有している。係合凹所24が第１後横桟22に掛け止められている。この状態で、天板15は水平となって開止めの機能を果たし、これにより、踏台が開き姿勢に保持されるようになっている。
【００２１】
開き姿勢の状態から、天板15を上向きに揺動させて、係合凹所24から第１後横桟22を離脱させ、後支柱12を閉じていくと、前支柱11および後支柱12の開き角度を狭めていく。図２に示すように、その開き角度が零、すなわち、前支柱11および後支柱12が互いに平行となる。この状態で、踏台が閉じ姿勢に保持される。
【００２２】
図４および図５に、閉じ姿勢時における、前後支柱12の左端部付近を中心とする一段目踏ざん13および第２後横桟23の拡大図を示すものである。
【００２３】
前および後支柱11、12は、同断面形状をもつアルミニウム押出型材によって成形されたものである。以下、前支柱11について、詳細に説明する。
【００２４】
前支柱11は、横断面略方形状のものであって、前側壁31、後側壁32、内側壁33および外側壁34よりなる。内外両側壁33、34には、前後方向に間隔おいて並んだ前後一対の横隔壁35、36が渡されている。両横隔壁35、36の左右方向ほぼ中央には縦隔壁37が渡されている。
【００２５】
外側壁壁34の、両横隔壁35、36の間にはスリット41が前支柱11の全長にわたって形成されている。スリット41の両縁部には前後一対の係合溝42が相対させられるように形成されている。両係合溝42には帯状化粧板43の両縁部が着脱自在に取付られている。
【００２６】
踏ざん13は、アルミニウム押出型材によって成形されたものであって、略逆Ｌ字中空状踏ざん本体51と、踏ざん本体51の左右両端部にそれぞれ被覆されている左右一対のカバー52とを備えている。
【００２７】
踏ざん本体51は、踏み面を形成する平坦状頂壁61と、頂壁61の前縁部から垂下させられた前向き突出円弧状側壁62と、頂壁61の後縁部および側壁62の下縁部を連絡している上向き突出円弧状底壁63よりなる。頂壁61の前縁部には延長壁64が連なっている。頂壁61および底壁63の前後方向中間部は隔壁65によって連絡されている。頂壁61と隔壁65が交差させられた部分には横断面略Ｃ字状ねじ用上条溝66が設けられている。側壁62と底壁63が交差させられた部分には、上条溝66と同形状の下条溝67が設けられている。上条溝66および下条溝67は、前支柱11を幅方向に等分する直線上に位置させられている。
【００２８】
カバー52は、合成樹脂によって形成されたものであって、踏ざん本体51の端面外周にそってこれより一回り大きく形成されている略垂直板状カバー本体71を備えている。カバー本体71の右側面には、これの外周にそってのびかつ踏ざん本体51の左端外周面を取囲んだ環状突出部72が設けられている。カバー本体71の左側面前部には厚肉部73が設けられている。厚肉部73の頂面には前支柱11の内縁部をはめ入れた位置決め用切欠74が形成されている。
【００２９】
上下のねじ部材81、82が前支柱11の内側壁62およびカバー本体71を貫通して上条溝66および下条溝67にねじ込まれている。これにより、前支柱11に対する踏ざん13の固定が果たされている。ねじ部材81、82のねじ込みに際しては、前支柱11から化粧板43を外しておき、縦隔壁65の適所に、ねじ部材および工具を通すための孔（図示しない）があけられる。ねじ込みの終了した後に、前支柱11に化粧板43が取付られる。
【００３０】
カバー本体71の、厚肉部73の無い後部は、後支柱12の間に入り込んでいる。後支柱12の内側壁62内面と、カバー本体71の、後支柱12の間に入り込んでいる部分の左側面との間には、若干の隙間Ｃが生じさせられている。
【図面の簡単な説明】
【００３１】
【図１】この発明によるこの発明による開き姿勢の踏台の側面図である。
【図２】同閉じ姿勢の踏台の側面図である。
【図３】同踏台の正面図である。
【図４】同踏台の踏ざん周辺の拡大断面図である。
【図５】図４で示す部分の平面図である。
【図６】従来例を示す図４相当の断面図である。
【図７】従来例を示す図５相当の平面図である。
【符号の説明】
【００３２】
11  前支柱
12  後支柱
13、14  踏ざん
33  前支柱内側壁
34  前支柱後側壁
41  スリット
43  化粧板
81  ねじ部材
82  ねじ部材
【図１】
2006132217.tif 000003
【図２】
2006132217.tif 000004
【図３】
2006132217.tif 000005
【図４】
2006132217.tif 000006
【図５】
2006132217.tif 000007
【図６】
2006132217.tif 000008
【図７】
2006132217.tif 000009